(57)【要約】      （修正有）【課題】複数のスラットで構成され、全閉状態では隣り合うスラットが重ね合わさって完全遮光できるとともに、複数のスラット全てが同位相に１８０度を超えて連続的に回転可能な日射遮蔽物を提供する。【解決手段】日射遮蔽物１００は、支軸回りに回転可能であって、並設されるとともに互いに連結された短冊状の複数のスラット１と、複数のスラット１と同期させ、複数スラット１を支軸回りに１８０度を越えて回転させるスラット駆動部（駆動軸３、駆動偏心軸４，５，６，７、スラット回転軸１０ａ，１０ｂ、スラット偏心軸１１，１２，１３，１４、操作紐１６，１７，１８，１９、及び固定リング１５で構成）と、複数のスラット１それぞれの長手方向の少なくとも一側端部近傍から短手方向外方に突出している、可撓性のある附属部２と、を備え、附属部２が、附属部２を備えるスラット１と隣り合うスラット１の回転軌跡と重なり合う。【選択図】図１
2016079558.tif 000002
【特許請求の範囲】
【請求項１】
支軸回りに回転可能であって、並設されるとともに互いに連結された短冊状の複数のスラットと、
前記複数のスラットを同期させて、当該複数のスラットを前記支軸回りに１８０度を越えて回転させるスラット駆動部と、
前記複数のスラットそれぞれの長手方向の少なくとも一側端部近傍から短手方向外方に突出している、可撓性のある附属部と、
を備え、
前記附属部が、当該附属部を備えるスラットと隣り合うスラットの回転軌跡と重なり合うことを特徴とする日射遮蔽物。
【請求項２】
前記スラット駆動部が、前記複数のスラットを前記支軸回りに３６０度を超えて回転させることを特徴とする請求項１に記載の日射遮蔽物。
【請求項３】
前記スラット駆動部が、
前記複数のスラットの最端に位置し、位相をずらした２本以上の駆動偏心軸を有して当該複数のスラットの長手方向に並設された駆動軸と、
前記複数のスラットそれぞれの短手方向に位置し、前記２本以上の駆動偏心軸それぞれに対応するスラット偏心軸を有して、前記支軸の延長上にあるスラット回転軸と、
前記駆動軸の回転に連動して前記スラット回転軸が当該駆動軸と逆方向に回転するように、対応する前記駆動偏心軸と前記スラット偏心軸とを連結する操作紐と、
を備えることを特徴とする請求項１または請求項２に記載の日射遮蔽物。
【請求項４】
前記スラット回転軸が、前記スラット偏心軸を前記スラットの各短手方向に２本以上備え、
前記駆動軸が、前記スラット偏心軸に並設された前記駆動偏心軸を備え、
前記駆動偏心軸が、前記スラット偏心軸の位相角度から所定角度ずれていることを特徴とする請求項３に記載の日射遮蔽物。
【請求項５】
前記複数のスラットそれぞれが、一方の面の日射反射率及び放射率を比較的大きくし、他方の面の日射反射率及び放射率を比較的小さくすることを特徴とする請求項１から請求項４のいずれかに記載の日射遮蔽物。
【請求項６】
前記附属部が、ゴム、エラストマー、または合成樹脂からなることを特徴とする請求項１から請求項５のいずれかに記載の日射遮蔽物。
【請求項７】
前記複数のスラットを等間隔に連結して並設させる連結紐と、
前記複数のスラットを巻き取る及び巻き戻す巻き操作紐と、
前記連結紐の前記複数のスラット間それぞれに固定され、前記巻き操作紐を貫通させる巻き操作固定リングと、
を備える請求項１から請求項６のいずれかに記載の日射遮蔽物。
【発明の詳細な説明】
【技術分野】
【０００１】
本発明は、複数のスラットで構成される日射遮蔽物に関するものである。
【背景技術】
【０００２】
従来から、窓といった建築物の開口部に入射する日射を遮蔽するための日射遮蔽物を設置し、日射量を調整することが行われている。日射遮蔽物のうち、複数のスラットで構成されるいわゆるブラインドは、紐の操作によって、スラットを畳んだり、スラットの角度を変えたりすることで日射量を調整することができる。ブラインドは、容易に設置することができるので、多くの建築物の開口部に使用されている。
【０００３】
日射量を調整するだけでなく、より効果的に日射反射及び日射熱を利用することができるブラインドとして、両面を日射反射率及び放射率の特性の異なる素材で構成されたブラインド、及び直射日光に対してスラットが垂直に近い角度に設定できる角度調整部を備えるブラインドが提案されている（例えば、特許文献１参照）。
【０００４】
ところで、従来のブラインドのスラットの可動域は、スラットの全閉状態の０度から逆全閉状態の１８０度の間であった。そこで、スラットの最大半径が隣り合うスラットとの間隔よりも短く構成すること等により、ルーバーの場合で、スラットに相当する羽根が隣り合う羽根に接触せずに、３６０度回転可能とする技術が開示されている（例えば、特許文献２〜特許文献４参照）。
【０００５】
また、両面の熱反射率が異なるスラット、及び一枚おきに隣り合うスラットの回転を妨げないように一旦退避位置にスラットが移動して隣り合うスラットの回転を妨げない干渉阻止手段を備え、スラットを３６０度回転可能とし、太陽を追尾することが可能な縦型ブラインドも開示されている（例えば、特許文献５参照）。
【先行技術文献】
【特許文献】
【０００６】
【特許文献１】特許第４７９７１６２号
【特許文献２】特開２００９−１９７５６２号公報
【特許文献３】特開２００７−２３１６１３号公報
【特許文献４】特許第５３６９４８７号
【特許文献５】特許第５１９３８４７号
【発明の概要】
【発明が解決しようとする課題】
【０００７】
しかしながら、特許文献２〜特許文献４に記載の技術では、ブラインドのスラットに相当するルーバーの羽根は３６０度回転可能であるが、隣り合う羽根の間には重なりがないために、全閉状態においても羽根の間に隙間が生じて完全遮光できないという問題点があった。また、特許文献１及び特許文献５のように、ブラインドの場合ではスラットの両面を異なる素材として日射を効果的に利用する場合には、複数のスラット全てが同位相で１８０度を超えて連続的に回転することが望ましいが、特許文献１及び特許文献５のいずれも実現できていないという問題点があった。
【０００８】
そこで、本発明は、上記課題に鑑み、複数のスラットで構成され、全閉状態では隣り合うスラットが重ね合わさって完全遮光できるとともに、複数のスラット全てが同位相に１８０度を超えて連続的に回転可能な日射遮蔽物を提供することを目的とする。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）本発明では、支軸回りに回転可能であって、並設されるとともに互いに連結された短冊状の複数のスラット（１）と、前記複数のスラットを同期させて、前記支軸回りに１８０度を越えて回転させるスラット駆動部（駆動軸３、駆動偏心軸４，５，６，７、スラット回転軸１０ａ，１０ｂ、スラット偏心軸１１，１２，１３，１４、操作紐１６，１７，１８，１９、及び固定リング１５）と、前記複数のスラットそれぞれの長手方向の少なくとも一側端部近傍から短手方向外方に突出している、可撓性のある附属部（２）と、を備え、前記附属部が、当該附属部を備えるスラットと隣り合うスラットの回転軌跡と重なり合うことを特徴とする日射遮蔽物を提案している。
【００１１】
この発明によれば、スラットの附属部に可撓性があることにより、スラットの附属部は重なり合った隣り合うスラットを乗り越えられ、また、スラットが重なり合った隣り合うスラットの付属部を乗り越えることができる。その結果、スラットは、１８０度を超えて回転することができる。
【００１２】
（２）本発明では、（１）の日射遮蔽物について、前記スラット駆動部が、前記複数のスラットを前記支軸回りに３６０度を超えて回転させることを特徴とする日射遮蔽物を提案している。
【００１３】
この発明によれば、スラットは３６０度を超えて回転することができる。
【００１４】
（３）本発明では、（１）または（２）の日射遮蔽物について、前記スラット駆動部が、前記複数のスラットの最端に位置し、位相をずらした２本以上の駆動偏心軸（４，５，６，７）を有して当該複数のスラットの長手方向に並設された駆動軸（３）と、前記複数のスラットそれぞれの短手方向に位置し、前記２本以上の駆動偏心軸それぞれに対応するスラット偏心軸（１１，１２，１３，１４）を有して、前記支軸の延長上にあるスラット回転軸（１０ａ，１０ｂ）と、前記駆動軸の回転に連動して前記スラット回転軸が当該駆動軸と逆方向に回転するように、対応する前記駆動偏心軸と前記スラット偏心軸とを連結する操作紐（１６，１７，１８，１９）と、を備えることを特徴とする日射遮蔽物を提案している。
【００１５】
この発明によれば、駆動軸の２本以上の駆動偏心軸と、スラットに備えられ、２本以上の駆動偏心軸と対応するスラット偏心軸と、を連結することにより、スラットは３６０度を超えて回転することができる。
【００１６】
（４）本発明では、（３）の日射遮蔽物について、前記スラット回転軸が、前記スラット偏心軸を前記スラットの各短手方向に２本以上備え、前記駆動軸が、前記スラット偏心軸に並設された前記駆動偏心軸を備え、前記駆動偏心軸が、前記スラット偏心軸の位相角度から所定角度ずれていることを特徴とする日射遮蔽物を提案している。
【００１７】
この発明によれば、駆動軸からスラット回転軸への駆動力が発生しやすく、スラットがスムーズに回転することができる。
【００１８】
（５）本発明では、（１）から（４）の日射遮蔽物について、前記複数のスラットそれぞれが、一方の面の日射反射率及び放射率を比較的大きくし、他方の面の日射反射率及び放射率を比較的小さくすることを特徴とする日射遮蔽物を提案している。
【００１９】
この発明によれば、室外からの日射熱を室外に発散したり、室外から日射熱を室内に取り込んだり、室内の熱を室外に流出するのを抑えられることで、省エネルギー効果が得られ、室内快適性を向上させることができる。
【００２０】
（６）本発明では、（１）から（５）の日射遮蔽物について、前記附属部が、ゴム、エラストマー、または合成樹脂からなることを特徴とする日射遮蔽物を提案している。
【００２１】
この発明によれば、可撓性を有する附属部が隣り合うスラットに重なっても抵抗が少ないため、附属部が隣り合うスラット、またはスラットが隣り合う附属部を乗り越えて回転することができる。
【００２２】
（７）本発明では、（１）から（６）の日射遮蔽物について、前記複数のスラットを等間隔に連結して並設させる連結紐（吊下紐２１ａ，２１ｂ）と、前記複数のスラットを巻き取る及び巻き戻す巻き操作紐（昇降紐２０ａ，２０ｂ）と、前記連結紐の前記複数のスラット間それぞれに固定され、前記巻き操作紐を貫通させる巻き操作固定リング（昇降用固定リング２２）と、を備える日射遮蔽物を提案している。
【００２３】
本発明によれば、巻き操作紐を、巻き操作固定リングに貫通させ、かつ、連結紐に固定されている巻き操作固定リングの穴に沿って案内できるので、巻き操作紐を巻き取るまたは巻き戻す際に、複数のスラット同士はずれないように制限できる。
【発明の効果】
【００２４】
本発明によれば、全閉状態では隣り合うスラットが重ね合わさって完全遮光できるとともに、複数のスラット全てが同位相に１８０度を超えて連続的に回転することができる。
【図面の簡単な説明】
【００２５】
【図１】本発明の実施形態に係る日射遮蔽物を示す斜視図である。
【図２】本実施形態に係る日射遮蔽物における、隣り合うスラットの回転動作を示す図である。
【図３】本実施形態に係る日射遮蔽物における、夏季に適したクールモード（夏季モード）のスラットの状態を示す。
【図４】本実施形態に係る日射遮蔽物における、冬季に適したヒートモード（冬季モード）のスラットの状態を示す。
【図５】本実施形態に係る日射遮蔽物における、駆動軸及び駆動偏心軸の分解図である。
【図６】本実施形態に係る日射遮蔽物における、スラット支持材、スラット偏心軸、及びスラット回転軸の分解図である。
【図７】本実施形態に係る日射遮蔽物における、スラット回転時の各軸各動作状態について示す図である。
【図８】本実施形態に係る日射遮蔽物の巻き上げ前と巻き上げ後の状態の側面図である。
【発明を実施するための形態】
【００２６】
以下、図面を用いて、本発明の実施形態について詳細に説明する。なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２７】
図１は、本発明の実施形態に係る日射遮蔽物の要部を示す斜視図である。本実施形態において、日射遮蔽物はブラインドとするが、シャッターまたはブラインド内蔵サッシ用であってもよい。また、本実施形態において、日射遮蔽物は、スラットが水平方向に並設された横型のブラインドとするが、スラットが垂直方向に並設された縦型のブラインドであってもよい。
【００２８】
図１に示すように、本実施形態に係る日射遮蔽物１００は、スラット１、附属部２、駆動軸３、駆動偏心軸４，５，６，７、スラット支持材８，９、スラット回転軸１０ａ，１０ｂ、スラット偏心軸１１，１２，１３，１４、固定リング１５、操作紐１６，１７，１８，１９、昇降紐２０ａ，２０ｂ、吊下紐２１ａ，２１ｂ、昇降用固定リング２２、エンドレール２３、及びトップレール２４を備える。スラット１を回転させるためのブラインドの駆動部は、駆動軸３、駆動偏心軸４，５，６，７、スラット回転軸１０ａ，１０ｂ、スラット偏心軸１１，１２，１３，１４、操作紐１６，１７，１８，１９、及び固定リング１５で実現される。
【００２９】
なお、本実施形態において、日射遮蔽物１００のそれぞれの軸は左右２本ずつ配置されている。また、日射遮蔽物１００のスラットを含む各段は全て同構造である。更にまた、図１において、固定リング１５は１つしか符合を付していないが、駆動軸３、駆動偏心軸４，５，６，７、スラット回転軸１０ａ，１０ｂ、スラット偏心軸１１，１２，１３，１４それぞれに嵌められており、また、昇降用固定リング２２も１つしか符合を付していないが、各スラット１間において吊下紐２１ａ，２１ｂに固定されている。以下、図１において符号が付されていなくても、日射遮蔽物１００における位置が異なるだけで同構造同機能のものには同符号を用いるものとする。
【００３０】
スラット１は、支軸であるスラット回転軸１０ａ，１０ｂ回りに回転可能であって、短冊状の板材により形成される。ここで、回転とは、両方向に任意の角度回ることを意味する。スラット１は、図１に示すように、湾曲形状を有してもよいし平形状でもよい。また、材質については限定されるものではないが、アルミ等の金属、または樹脂製等の薄く軽く、遮光性がある材質で形成されるのが望ましい。また、スラット１の両面は、異なる素材で形成されてもよい。そして、スラット１は、両端に位置するスラット回転軸１０ａ，１０ｂに嵌められた固定リング１５で、吊下紐２１ａ，２１ｂに固定される。日射遮蔽物１００は、スラット１を、水平に等間隔に複数配置されて構成される。
【００３１】
附属部２は、スラット１の長手方向の少なくとも一側端部近傍から短手方向外方に突出していて、スラット１と一体形成されていてもよいし、接着剤等により接合されていてもよい。スラット１と附属部２との取り付け角度は任意であって、全閉状態の際に完全遮光できればよい。また、附属部２は、隣り合うスラットの回転軌跡と重なり合うようになっている。すなわち、附属部２を備えない隣り合うスラットの半径は隣り合うスラットの間隔よりも短いが、附属部２を備えた隣り合うスラットの半径は隣り合うスラットの間隔よりも長くなり、全閉状態において、隣り合うスラットは附属部２で重なり合って完全遮光することができる。
【００３２】
附属部２は、可撓性を有する、例えば、ゴム、エラストマー、または合成樹脂等の材質で形成される。なお、附属部２もスラットと同様に、薄く軽く、遮光性のあるものが望ましい。本実施形態において、附属部２は、スラットの長手方向の少なくとも一側端部近傍に備えられているが、両側端部近傍に備えられてもよい。また、附属部２はスラット１と一体形成されてもよい。この場合には、スラットは、少なくとも長手方向一側端部近傍において、長手方向全体にわたって可撓性を有する素材で形成され、可撓性を有する素材による形成部分が附属部２に該当する。更に、長手方向一側端部近傍だけでなく、スラット全体が可撓性を有する素材で形成されてもよい。
【００３３】
スラット１の短手方向の両側端部にはスラット支持材８，９が固定されている。スラット支持材８には、スラット回転軸１０ａが備えられている。スラット回転軸１０ａは、スラット支持材８側に、スラット１の上方向にスラット回転軸１０ａの中心から同じ偏心量で、回転方向に対し９０度位相を変えて配置された２本のスラット偏心軸１１，１２を備えている。一方、スラット支持材９には、スラット回転軸１０ｂが備えられている。スラット回転軸１０ｂはスラット支持材９側に、スラット１の下方向にスラット回転軸１０ｂの中心から同じ偏心量で、回転方向に対し９０度位相を変えて配置された２本のスラット偏心軸１３，１４を備えている。なお、スラット偏心軸の位置は、スラットに対して指定はないが、駆動軸の位置と同調することが望ましい。
【００３４】
すなわち、スラット偏心軸１１，１２，１３，１４の４本は、スラット回転軸１０ａ，１０ｂの中心に対して同じ偏心量で、回転方向に対し９０度ずつ位相を変えて配置され、スラット偏心軸１１，１２とスラット偏心軸１３，１４とをスラット１の両側に２本ずつ配置し構成されている。なお、本実施系形態において、日射遮蔽物１００は、スラット偏心軸を４本備えているが２本以上備えられていればよい。スラット偏心軸の数に応じて、位相角度は決定され、例えば、スラット偏心軸が３本の場合には、スラット偏心軸は１２０度ずつ位相を変えてスラット回転軸に備えられる。また、操作紐及び固定リングも、スラット偏心軸の数に応じて備えられる。
【００３５】
また、スラット偏心軸は、スラットの両側に必ずしも設けられなくてもよく、片側一方に備えられてもよい。更に、図において、スラット偏心軸１１，１２がスラット回転軸１０ａとスラット支持材８との間に配置されているが、スラット偏心軸１１，１２の間にスラット回転軸１０ａが配置されてもよいし、スラット偏心軸１１，１２とスラット支持材８との間にスラット回転軸１０ａが配置されてもよい。スラット偏心軸１３，１４、スラット回転軸１０ｂ、及びスラット支持材９の配置についても同様である。更にまた、スラット偏心軸１１，１２，１３，１４は、スラット回転軸１０中心からの偏心量及び位相角度はそれぞれ異なっていてもよい。
【００３６】
全スラットの上部、図１においては、スラット１の上部に、駆動軸３が備えられる。駆動軸３は、スラット偏心軸１１，１２と並設するようにスラット偏心軸１１，１２の上部に位置する駆動偏心軸４，５と、スラット偏心軸１３，１４の上部に位置する駆動偏心軸６，７を備えている。駆動偏心軸４，５，６，７は、駆動軸３の中心に対し同じ偏心量で回転方向に対して９０度ずつ位相をずらして駆動軸３に配置されている。駆動偏心軸４，５，６，７は、駆動軸３の中心からの偏心量及び位相角度がそれぞれ異なってもいてもよい。
【００３７】
駆動偏心軸４とスラット偏心軸１２とは操作紐１７、駆動偏心軸５とスラット偏心軸１１とは操作紐１６、駆動偏心軸６とスラット偏心軸１４とは操作紐１８、駆動偏心軸７とスラット偏心軸１３とは操作紐１９により、連結されている。各操作紐は、各軸に嵌められた固定リング１５で固定されている。各軸の直径は、スラット１がスムーズに回転できるように、固定リング１５の穴径より小さく、軸と固定リング１５との間にはあそびが設けられている。なお、固定リング１５にベアリングを用いる場合には、あそびは設けられなくてもよい。また、操作紐同士で接続されているスラット偏心軸と駆動偏心軸との偏心量は異なっていてもよい。
【００３８】
また、駆動偏心軸４，５とスラット偏心軸１１，１２とを連結している操作紐１６，１７、及び駆動偏心軸６，７とスラット偏心軸１３，１４を連結している操作紐１８，１９は回転中に互いが干渉しないように、スラットの長手方向にずらして配置され、各軸の長さは、固定リング１５の厚みにあそび分を足した長さが望ましい。
【００３９】
駆動軸３は、駆動軸３に接続された紐やポールによって手動で駆動することもできるし、モーター等によって自動で駆動することもできる。なお、駆動軸３に備えられる駆動偏心軸の数はスラット偏心軸の数と同じであり、また、スラット偏心軸がスラット１の片側に寄せられている場合には、駆動偏心軸も同片側に寄せられて設けられる。
【００４０】
また、全部のスラットが連動するように、各スラットの同じ位相のスラット偏心軸同士を操作紐１６，１７，１８，１９で連結し、各軸に嵌められた固定リング１５でスラット偏心軸と操作紐とは固定されている。
【００４１】
エンドレール２３は、全スラットの下部に設けられる。エンドレール２３は、駆動軸３と各スラットのスラット回転軸１０ａ，１０ｂと固定リング１５を介して接続されている吊下紐２１ａ，２１ｂに接続され、また、昇降紐２０ａ，２０ｂと接続されている。昇降紐２０ａ，２０ｂは、トップレール２４の穴及び各スラット間にて吊下紐２１ａ，２１ｂに固定されている昇降用固定リング２２を貫通している。エンドレール２３は、スラットを巻き上げる役割を果たす。エンドレール２３は、操作紐１６，１７，１８，１９、吊下紐２１ａ，２１ｂがスラット１の操作時にたるまないような重さであるのが望ましい。
【００４２】
図２は、本実施形態に係る日射遮蔽物における、スラット１ａと隣り合うスラット１ｂとの回転動作を示す図である。スラット１ａ，１ｂはスラット回転軸１０を中心に同位相に回転し、スラット１ａの回転軌跡円２５、スラット１ａの附属部２ａの回転軌跡円２６、スラット１ｂの回転軌跡円２７、及びスラット１ｂの附属部２ｂの回転軌跡円２８を図に示す。
【００４３】
図２（ａ）に示すように、スラット１ａの回転軌跡円２５と、隣り合うスラット１ｂの回転軌跡円２７とは重なり合わないが、スラット１ａの附属部２ａの回転軌跡円２６と、隣り合うスラット１ｂの回転軌跡円２７とが重なり合う。この後、２つのスラット１ａ，１ｂが同位相に更に回転すると、スラット１ａの附属部２ａが可撓性を有するので、スラット１ｂはスラット１ａの附属部２ａを乗り越えて回転を続けることができる。
【００４４】
図２において、（ｂ）は（ａ）から略１８０度回転した状態を示し、スラット１ａ，１ｂの附属部２ａ，２ｂは、それぞれ上方向に移動する。（ｂ）においても、（ａ）と同様に、スラット１ａの回転軌跡円２５と隣り合うスラット１ｂの回転軌跡円２７とは重なり合わないが、スラット１ａの回転軌跡円２５と、隣り合うスラット１ｂの附属部２ｂの回転軌跡円２８とが重なり合う。この後、２つのスラット１ａ，１ｂが同位相に更に回転すると、スラット１ｂの附属部２ｂが可撓性を有するので、スラット１ｂの附属部２ｂが隣り合うスラット１ａを乗り越えて回転を続けることができる。
【００４５】
図２において、（ｃ）は（ｂ）から略１８０度、（ａ）から略３６０度回転した状態を示し、スラット１ａ，１ｂの附属部２ａ，２ｂがそれぞれ下方向に移動する。この後、２つのスラット１ａ，１ｂが同位相に更に回転すると、スラット１ａの附属部２ａが可撓性を有するので、スラット１ｂはスラット１ａの附属部２ａを乗り越えて回転を続けることができる。
【００４６】
このように、スラットが回転半径が重なる隣り合うスラットの附属部を乗り越えて、または回転半径が重なるスラットの附属部が隣り合うスラットを乗り越えて、１８０度を超え、更に、３６０度を超えて回転することができる。なお、スラット１が図２の回転方向と逆方向に回転する場合も、同じようにスラットが回転半径が重なる隣り合うスラットの附属部を乗り越えるか、または回転半径が重なるスラット附属部が隣り合うスラットを乗り越えるかすることで３６０度を超えて回転することができる。
【００４７】
次に、図３及び図４を用いて、スラット１の両面を異なる素材で形成したことによる効果について説明する。図３は、夏季の使用に適したクールモード（夏季モード）のスラット１の状態を示す。スラット１の面３０を室外、面４０を室内に向けた状態である。スラット１の両面には、例えば、特許文献１に記載の技術を用いて、面３０の日射反射率及び放射率は比較的大きく、他方の面４０は面３０に比べて日射反射率及び放射率が比較的小さい。スラット１は、スラット回転軸１０を中心に任意の傾斜角φで設定できる。クールモードでは、室外からの日射の大半は反射し、室外に多くの日射熱を発散でき、夏季の冷房負荷を軽減することができる。
【００４８】
図４は、冬季の使用に適したヒートモード（冬季モード）のスラット１の状態を示す。スラット１の面４０を室外、面３０を室内に向けた状態である。スラット１の両面は、図３の場合と同様の構造になっている。スラット１は、スラット回転軸１０を中心に任意の傾斜角φで設定できる。ヒートモードでは、室外からの日射熱の一部しか反射せずスラット１に吸収し、室内側に日射熱を発散させ、冬季の暖房負荷を軽減することができる。
【００４９】
なお、スラット１が平板であっても、凸状の面３０及び凹状の面４０の位置が図３，４と逆となる湾曲板であっても、同様の効果が得られる。また、附属部２の両面も、スラット１の両面と同構造とすることが望ましい。
【００５０】
図５は、駆動軸３及び駆動偏心軸６，７の分解図である。図に示すように、駆動軸３は、位相が９０度変えられている駆動偏心軸６，７及び各軸に嵌められる固定リング１５ａ，１５ｂ，１５ｃを備える。駆動軸３と駆動偏心軸６，７とは、回転方向に対して位相角度がずれないように両者は角穴と角軸等の組み合わせで固定され、駆動軸３の回転力と連結されている全スラットの重さに耐えられる構造になっている。なお、駆動軸３と駆動偏心軸４，５とも同様の構造になっている。本実施形態において、駆動軸３と駆動偏心軸６，７とは分解可能になっているが、駆動軸３と駆動偏心軸６，７とが一体形成されてもよい。この場合、固定リング１５ａ，１５ｂ，１５ｃは、開閉可能である必要がある。
【００５１】
図６は、スラット支持材９、スラット偏心軸１３，１４、及びスラット回転軸１０ｂの分解図である。図に示すように、スラット回転軸１０ｂは、位相が９０度変えられているスラット偏心軸１３，１４及び各軸に嵌められる固定リング１５ｄ，１５ｅ，１５ｆを備える。回転軸１０ｂとスラット偏心軸１３，１４とは、回転方向に対して位相角度がずれないように両者は角穴と角軸等の組み合わせで固定され、回転軸１０ｂの回転力に耐えられる構造になっている。なお、スラット支持材８、スラット回転軸１０ａ、及びスラット偏心軸１１，１２も同様の構造になっている。本実施形態において、スラット支持材９、スラット回転軸１０ｂ、及びスラット偏心軸１３，１４は分解可能になっているが、スラット支持材９とスラット回転軸１０ｂとスラット偏心軸１３，１４とが一体形成されてもよい。この場合固定リング１５ｄ，１５ｅ，１５ｆは、開閉可能である必要がある。
【００５２】
図７は、本実施形態に係る日射遮蔽物１００における、スラット回転時の各軸各動作状態について示す図である。本図は、日射遮蔽物を左側面から見た図であり、各軸各動作状態がわかりやすいようにスラット支持材８は省略している。（ａ）に示すように、駆動偏心軸４，５，６，７と、スラット偏心軸１１，１２，１３，１４とはスムーズな回転ができるように、同じ位相角度より回転方向に関係なく傾き角θを設けてずらすのが望ましい。スラット１の最大回転範囲は、（ａ）〜（ｈ）に示す３６０度を超える角度である。
【００５３】
図７（ａ）に示すように、まず、駆動軸３が時計方向に回転すると、回転中心軸ＡＢの左側の回転角１８０度の範囲では、駆動偏心軸４，７が回転時に上方向に移動することで駆動力が発生する。そして、発生した駆動力は、連結された操作紐１７，１９に伝達され、下方の回転中心軸ＡＢの右側の回転角１８０度の範囲にあるスラット偏心軸１２，１３を反時計方向に連動させる。それにより、スラット１は反時計方向に回転される。なお、反対側の回転中心軸ＡＢの右側の回転角１８０度の範囲では、駆動偏心軸５，６が下方向に移動するため、連結された操作紐１６，１８には駆動力は発生しない。
【００５４】
また、同じ位相のスラット偏心軸１１，１２，１３，１４の軸同士を操作紐１６，１７，１８，１９で連結させることで、全部のスラット１を、スラット回転軸１０を中心に同一回転角で連動させて回転できるようになっている。
【００５５】
図７（ｂ）は、図７（ａ）から駆動軸３を時計方向に略４５度回転させた状態である。図７（ａ）と同様に、回転中心軸ＡＢの左側の範囲にある駆動偏心軸４，７が上方向に移動することで、連結された操作紐１７，１９に駆動力を伝達し、回転中心軸ＡＢの右側の範囲にある、スラット偏心軸１２，１３を連動させ、スラット回転軸１０を中心に反時計方向にスラット１を回転させる。なお、（ｂ）以降は駆動力となる操作紐以外の紐は省略している。
【００５６】
図７（ｃ）は、図７（ｂ）から駆動軸３を時計方向に略４５度回転させた状態である。回転中心軸ＡＢの左側の範囲にある駆動偏心軸６，７が上方向に移動することで、連結された操作紐１８，１９に駆動力を伝達し、回転中心軸ＡＢの右側の範囲にあるスラット偏心軸１３，１４を連動させ、スラット回転軸１０を中心に反時計方向にスラット１を回転させる。
【００５７】
図７（ｄ）〜（ｈ）も、同じように駆動軸を時計方向に回転することにより、回転中心軸ＡＢの左側の範囲にある駆動偏心軸の駆動力を操作紐に伝達し、回転中心軸ＡＢの右側の範囲にあるスラット偏心軸を連動させることで、スラット回転軸１０を中心に、反時計方向にスラット１を回転できる。
【００５８】
また、駆動軸３の回転方向が図７（ａ）と反対の反時計回りの時には、回転中心軸ＡＢの右側の範囲にある駆動偏心軸の駆動力を操作紐に伝達することで、回転中心軸ＡＢの左側の範囲にあるスラット偏心軸を連動させ、スラット１を時計方向に回転できる。
【００５９】
次に、図７の（ａ）〜（ｈ）における、スラット１の角度変化について説明する。図７（ａ）はオープンモードでの使用状態を示している。スラット１が略水平に設定され、スラット１の面３０が上面、面４０が下面を向く状態で、室外の眺望を得るのに適している。
【００６０】
図７（ｂ）は、図３に示したクールモード（夏モード）での使用状態を示している。スラット１の面３０が日射に対して垂直に近い角度に設定される。このクールモードでは、上述したように面３０が受けた日射の大部分を反射し、日射熱の多くを室外に発散させるのに適している。
【００６１】
図７（ｃ）は、逆クローズモードでの使用状態を示している。スラット１が略垂直に設定された状態で、スラット１の面３０が室外側、面４０が室内側、附属部２が上部を向き、上の隣り合うスラットとの空隙を無くして完全遮光でき、日射熱の多くを室外に発散させることができる。また、室外からの視線を遮断するのに適している。この状態から駆動軸３が回転すると、可撓性を有する附属部２が隣り合うスラットを乗り越えて、スラット１は回転を続けることができる。
【００６２】
図７（ｄ）は、逆ライトモードでの使用状態を示している。スラット１が日射と平行に近い角度に設定され、光を積極的に室内に受け入れるのに適している。
【００６３】
図７（ｅ）は、逆オープンモードでの使用状態を示している。スラット１が略水平に設定された状態で、図７（ａ）に対してスラット面が逆で、スラット１の面４０が上部、面３０が下部を向いている。室外の眺望を得るのに適している。
【００６４】
図７（ｆ）は、図４に示したヒートモード（冬モード）での使用状態を示している。スラット１の面４０が日射に対して直角に近い角度に設定される。このヒートモードでは、上述したように面４０が受けた日射による日射熱の大部分をスラット１に吸収させ、その吸収熱を室内側に発散させるのに適している。
【００６５】
図７（ｇ）は、クローズモードでの使用状態を示している。スラット１が略垂直に設定された状態で、図７（ｃ）に対してスラット面が逆で、スラット１の面４０が室外側、面３０が室内側、附属部２が下部を向き下の隣り合うスラットとの空隙を無くして完全遮光でき、日射熱の大部分をスラット１に吸収させ室内に発散させたり、室内から室外への熱の流出を抑えたりことができる。また、室外からの視線を遮断するのに適している。この状態から駆動軸３が回転すると、スラット１が隣り合うスラットの可撓性を有する附属部２を乗り越えて回転を続けることができる。
【００６６】
図７（ｈ）は、ライトモードでの使用状態を示す図である。図７（ｄ）に対してスラット面が逆の状態で、スラット１の面３０が上部、面４０が下部を向いている。スラット１が日射と平行に近い角度に設定され、光を積極的に室内に受け入れるのに適している。
【００６７】
なお、スラット１の角度が変化するのに際して、スラット回転軸１０は図７（ａ）〜（ｈ）の角度設定のいずれの場合でも一定の位置に維持される。
【００６８】
上述したように、スラット１が３６０度を超えて回転できることにより、図７（ａ）〜（ｈ）の直射日光に対してスラット両面を垂直に近い角度や完全遮光、採光、室外の眺望等の使用目的に応じて角度設定を行うことができる。また、図７（ｂ）及び（ｆ）に示すようにスラット１の面３０及び面４０を直射日光に対して直角に近い角度に設定でき、日射反射や日射熱吸収、発散等を効率的に行える。その結果、省エネルギー効果が得られ、また、室内快適性を向上させることができる。
【００６９】
図８は、日射遮蔽物１００の巻き上げ前と巻き上げ後の状態の側面図である。巻き上げはスラット１を略水平に角度設定して、昇降紐２０ａ，２０ｂを操作することで、吊下紐２１ａ，２１ｂに固定された昇降用固定リング２２の穴に昇降紐２０ａ，２０ｂを案内することで、エンドレール２３及び複数のスラットを、中心部からずれないように整列させて巻き上げることができる。
【００７０】
また、スラット１を昇降途中の位置で固定し、まだ巻き上げられていないスラット１の角度設定をする場合でも、これらのスラット１を３６０度超えて回転することができる。
【００７１】
本発明の日射遮蔽物は、スラット１が３６０度を超えて回転ができるので、窓に対して本体を設置する際、室外側及び室内側の取り付け方向の指定はなくどちらでもよい。また、日射遮蔽物は、窓に対して室内に設置してもよいし、室外に設置してもかまわない。更に、二重窓の間の空間や多重ガラスの間の空間に設置してもよい。
【００７２】
以上、説明したように、本実施形態によれば、複数のスラットで構成され、全閉状態では隣り合うスラットが附属部で重ね合わされて完全遮光できるとともに、複数のスラット全てが同位相に３６０度を連続的に回転可能な日射遮蔽物を提供することができる。このことにより、スラットの両面を使った完全遮光、採光、室外の眺望等、様々な角度での使用方法が可能となる。また、スラットの両面の日射反射率及び放射率を異ならせて直射日光に対し最適な角度にスラットの両面を設定できる。それにより、室内に熱を取り込まないクールモード、室内に熱を取り込むヒートモード、及び室外からの遮熱や室内の保温等が可能な完全遮蔽状態が実現でき、省エネルギー効果が得られ、室内快適性を向上させることができる。
【００７３】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７４】
１                        スラット
２                        附属部
３                        駆動軸
４，５，６，７            駆動偏心軸
８，９                    スラット支持材
１０ａ，１０ｂ            スラット回転軸
１１，１２，１３，１４    スラット偏心軸
１５                      固定リング
１６，１７，１８，１９    操作紐
２０ａ，２０ｂ            昇降紐
２１ａ，２１ｂ            吊下紐
２２                      昇降用固定リング
２３                      エンドレール
２４                      トップレール
１００                    日射遮蔽物
【図１】
2016079558.tif 000003
【図２】
2016079558.tif 000004
【図３】
2016079558.tif 000005
【図４】
2016079558.tif 000006
【図５】
2016079558.tif 000007
【図６】
2016079558.tif 000008
【図７】
2016079558.tif 000009
【図８】
2016079558.tif 000010